(57)【要約】【課題】本発明は各吸水性粒状体にアルミ箔の良熱伝導性による、製造時における乾燥効率の向上を図り、併せて市場に多量に排出されるアルミ箔を使用した飲食物容器等の産業廃棄物の有効利用を図り、省資源に寄与する動物用排泄物処理材を提供するものである。【解決手段】廃アルミラミネート紙材４Ａ又は廃アルミラミネート合成樹脂フィルム材４Ｂの粉砕物４Ａ′，４Ｂ′を組成物とする吸水性粒状体１から成る動物用排泄物処理材。【選択図】        図７
2005176747.tif 000002
【特許請求の範囲】
【請求項１】
廃アルミラミネート紙又は廃アルミラミネート合成樹脂フィルムの粉砕物を組成物とする吸水性粒状体から成ることを特徴とする動物用排泄物処理材。
【請求項２】
上記吸水性粒状体中に吸水性ポリマーを含有することを特徴とする請求項１記載の動物用排泄物処理材。
【請求項３】
上記吸水性粒状体中に鉱物質の粉体を含有することを特徴とする請求項１記載の動物用排泄物処理材。
【請求項４】
上記吸水性粒状体はその表面に吸水性を有し且つ吸水すると粘着性を生ずる被覆層を有することを特徴とする請求項１又は２又は３記載の動物用排泄物処理材。
【発明の詳細な説明】
【技術分野】
【０００１】
本発明はアルミ箔を表面にラミネートして成る廃アルミラミネート紙、又はアルミ箔を表面にラミネートして成る廃アルミラミネート合成樹脂フィルムを原料とする吸水性粒状体から成る動物用排泄物処理材に関する。
【背景技術】
【０００２】
従来よりパルプ繊維又は木粉等を粒状にした吸水性粒状体をトレーに多数置き敷きして猫等の排尿を行わせるようにした動物用排泄物処理材が広く販売されている。
【０００３】
代表例として特許文献１においては、パルプ繊維に炭酸カルシウム等の無機充填材を配合して粒状にした吸水性粒状体を提供しており、この粒状体は無機充填材の配合により粒状体個々に重量を付加し、猫等による掻き散らしや体毛への付着の防止を図っている。
【特許文献１】特公平３−８７３８号公報（特開平１−２５７１８号公報）
【発明の開示】
【発明が解決しようとする課題】
【０００４】
然しながら上記吸水性粒状体はパルプ繊維とその他の配合材を加水混練して造粒し、造粒後乾燥するものであるが、この乾燥時に粒状体芯部の水分の蒸発に時間が掛かり、所謂乾きにくく、これが経済的ロス、生産ロスを招いている。
【０００５】
又粒子表面の静電気帯電による体毛付着の問題を有し、上記無機充填材の充填による（重量付加による）体毛付着の防止と同時に、この静電気帯電による体毛付着防止を図ることが求められている。
【０００６】
他方既知のように、従来の金属製やガラス製の容器に代わり紙製の飲料容器や食品容器が多量に用いられるに至っており、大部分は古紙として再生利用されているが、殊に品質保持のため容器内面にアルミ箔をラミネートした容器においては、このアルミ箔の剥離に技術と手間とコストを要し、古紙及びアルミ箔の再生使用におけるネックとなっている。
【０００７】
又同様にジュース類の飲料容器として多用されている、合成樹脂フィルムとアルミ箔のラミネート容器は、合成樹脂フィルムとアルミ箔の分離が難しく、大部分は焼却処理するか、燃料の代替品として利用する方法が主として採られており、その再利用方法が課題となっている。
【課題を解決するための手段】
【０００８】
本発明は上記紙製の飲食物容器、殊に内面にアルミ箔をラミネートして成る紙製飲食物容器に代表される廃アルミラミネート紙材、並びに合成樹脂フィルムにアルミ箔をラミネートした飲食物容器に代表される廃アルミラミネート合成樹脂フィルム材における、該アルミニウムが良好な熱伝導性を有することに着目し、本発明を創出するに至ったものである。
【０００９】
よって上記従来品における乾燥効率の悪化の問題を適切に解決し、併せて上記市場に多量に排出される飲食物容器等の産業廃棄物の有効利用に資するものである。更にはアルミニウムの良導電性により粒状体表面における静電気帯電、これによる体毛付着を可及的に防止せんとするものである。
【００１０】
要述すると、上記動物用排泄物処理材は廃アルミラミネート紙、又は廃アルミラミネート合成樹脂フィルムを原料とし、該廃アルミラミネート紙又は廃アルミラミネート合成樹脂フィルムの粉砕物を吸水性粒状体の組成物として用い、動物用排泄物処理材を形成する吸水性粒状体に上記アルミニウムの良熱伝導性による製造時における著しい乾燥効率の向上を図ったものである。又上記アルミニウムの良導電性により静電気帯電と、これによる体毛付着防止効果が期待できるものである。
【００１１】
上記廃アルミラミネート紙の粉砕物は、これを主材として上記吸水性粒状体を造粒するか、又はパルプ等を主材として造粒した吸水性粒状体中に上記粉砕物を一定量含有せしめ、所期の目的を達成する。
【００１２】
又廃アルミラミネート合成樹脂フィルムの粉砕物は、パルプ等を主材として造粒した吸水性粒状体中に一定量配合し、所期の目的を達成する。
【００１３】
即ち何れの場合も、上記粉砕物を組成物として吸水性粒状体を構成する。殊にアルミラミネート紙材を用いた上記紙製飲食物容器は、充分な厚みの紙層を有し、その粉砕物は良好な吸水性を発揮することができ、主材としても、又配合材としても有効である。
【００１４】
上記吸水性粒状体中には吸水性ポリマーを含有せしめることができる。又はこの吸水性ポリマーと、澱粉やＣＭＣに代表される植物質の粘着材と、おが屑又はおから等の植物残渣に代表される植物粉の一又は二以上を含有せしめ、吸水効果と保水効果を向上せしめる。
【００１５】
又上記吸水性粒状体中には鉱物質の粉体を含有し重量を付加することができる。又該鉱物質の粉体と一緒に上記した吸水性ポリマー等の配合材を含有せしめることができる。
【００１６】
又上記吸水性粒状体の表面には、吸水性を有し且つ吸水すると粘着性を生ずる被覆層を設け、排泄物を吸収した吸水性粒状体相互の凝結を促し、塊として取り出しできるようにする。
【発明の効果】
【００１７】
本発明に係る動物用排泄物処理材は、各吸水性粒状体にアルミ箔の良熱伝導性を粒状体に与え、製造時における著しい乾燥効率の向上を図ることができる。加えてアルミ箔の良導電性により帯電防止効果が期待できるものである。
【００１８】
更には市場に多量に排出される飲食物容器等の産業廃棄物の有効利用を図り、省資源に寄与するものである。
【発明を実施するための最良の形態】
【００１９】
以下本発明を実施するための最良の形態を図１乃至図９に基づき説明する。
【００２０】
本発明は動物用排泄物処理材、殊に吸水性粒状体１から成る同処理材の組成物として、図１に示す如き、板紙２の内面にアルミ箔３をラミネートして成る紙製飲食物容器に代表される廃アルミラミネート紙材４Ａを再利用する。
【００２１】
上記廃アルミラミネート紙材４Ａとしては上記ジュースや酒や菓子類等の紙製飲食物容器、包装紙類等が該当する。この包装紙類の有力廃材としては、煙草の包装紙が挙げられる。煙草包装箱の内側に用いられる紙巻き煙草を包皮する包装紙は薄紙にアルミ箔をラミネートしたアルミラミネート紙材４Ａから成り、この煙草包装紙は膨大な廃紙量が存し、入手性、経済性の面から極めて有利である。
【００２２】
又図２に示すように、合成樹脂フィルム５にアルミ箔３をラミネートした飲食物容器に代表される廃アルミラミネート合成樹脂フィルム材４Ｂを動物用排泄物処理材を形成する吸水性粒状体１の組成物として再利用する。
【００２３】
上記廃アルミラミネート合成樹脂フィルム材４Ｂとしてはジュースやレトルト食品等の飲食物容器等が該当する。
【００２４】
上記廃アルミラミネート紙材４Ａ又は廃アルミラミネート合成樹脂フィルム材４Ｂを原料とし、該廃アルミラミネート紙材４Ａ又は廃アルミラミネート合成樹脂フィルム材４Ｂを図３に示すように、１ｍｍ〜１０ｍｍ程度の大きさに細かく粉砕して、廃アルミラミネート紙材４Ａの粉砕により、図４Ａに示すように、パルプ繊維の絡み合いから成る紙層２′の表面にアルミ層３′を有する粉砕紙片４Ａ′を形成する。
【００２５】
又廃アルミラミネート合成樹脂フィルム材４Ｂの粉砕により、図４Ｂに示すように、フィルム層５′の表面にアルミ層３′を有する粉砕フィルム片４Ｂ′を形成する。
【００２６】
上記粉砕紙片４Ａ′又は粉砕フィルム片４Ｂ′を主材とし、これに貧加水して造粒機にかけて造粒し、造粒後乾燥して、図５に示す粉砕紙片４Ａ′又は粉砕フィルム片４Ｂ′の集合物から成る２ｍｍ〜１０ｍｍ程度の吸水性粒状体１を形成する。
【００２７】
上記吸水性粒状体１には後記する他の各種吸水性材料を含有せめることができる。この場合、粉砕紙片４Ａ′は３０％〜９０％（重量％）の範囲で選択し、各種吸水性材料は７０％〜１０％（重量％）の範囲で選択し、これらを加水混合して造粒する。
【００２８】
又粉砕フィルム片４Ｂ′は５％〜３０％（重量％）の範囲で選択し、各種吸水性材料は９５％〜７０％（重量％）の範囲で選択し、これらを加水混合して造粒する。
【００２９】
上記吸水性粒状体１は図７Ａに示すように、隣接する各粉砕紙片４Ａ′間、殊に隣接するアルミ層３′間、又は隣接するアルミ層３′と紙層２′間に排尿７を吸水性粒状体１の芯部へ案内する無数の連通空隙６から成る空隙構造を有する。
【００３０】
同様に図７Ｂに示すように、隣接する各粉砕フィルム片４Ｂ′間、殊に隣接するアルミ層３′間、又はアルミ層３′とフィルム層５′間、又は隣接するフィルム層５′間に排尿７を吸水性粒状体１の芯部へ案内する連通空隙６の形成に役立つ。
【００３１】
加えて上記粉砕紙片４Ａ′は上記排尿７をその剪断面８より紙層２′内に吸収し、紙層２′内に保水する保水構造を有する。
【００３２】
上記飲食物容器等の廃アルミラミネート紙材４Ａ又は廃アルミラミネート合成樹脂フィルム材４Ｂの構造、これらを粉砕して形成した粉砕紙片４Ａ′又は粉砕フィルム片４Ｂ′の構造は、粒状体１にアルミ層３′による良好な熱伝導性を付与し、加水混練して造粒した湿潤吸水性粒状体１を加熱乾燥する場合に、粒状体１の芯部まで速やかに熱伝導して乾燥を促進し、生産性の向上とコストダウンに資する。
【００３３】
又アルミ層３′の導電性により表面帯電を防止し、愛玩動物等への体毛付着を防止する効果が期待でき、加えて良好な導管作用を付与し、処理材としての適性を向上する。
【００３４】
図９に示すように、上記吸水性粒状体１は便器を形成するトレー９等に多数敷設して猫等の愛玩動物１０等の排尿に供するものであるが、上記粒状体１上に排泄された尿７は、粒状体１の多空隙構造により芯部まで導かれ、この過程で各粉砕紙片４Ａ′の紙層２′内、又はその他の吸水性材料に吸収され、保水する。
【００３５】
上記吸水性粒状体１中には吸水性と保水性を補完する各種吸水性材料を配合し、造粒することができる。
【００３６】
例えば図８Ａ，図８Ｂに示すように、吸水性粒状体１中に吸水性ポリマーの粉体１１、植物質の粉体１２、植物質の繊維１３の一又は二以上を含有せしめる。
【００３７】
上記吸水性ポリマーは、デンプン−ポリアクリロニトリル加水分解物、デンプン−ポリアクリル酸塩架橋物、酢酸ビニル−アクリル酸メチル共重合体のケン化物、ポリアクリル酸ソーダ架橋物等から成り、この吸水性ポリマーは排泄物の水分を吸収するとゼリー状に変質して多量の水分を保持する機能を有する。
【００３８】
又上記植物質の粉体１２としては、澱粉、ＣＭＳ（カルボキシメチルスターチ）、ＣＭＣ（カルボキシメチルセルロース）等の植物性粘着材の一又は二以上を用いる。又同粉体１２として、おが屑等の木粉、竹粉、食物残渣粉を用いる。
【００３９】
又上記植物質の繊維１３としては、例えば、廃材たる古紙を粉砕機にかけ棉状に離解して得られたパルプ繊維を使用する。又は製紙スラッジ、殊に抄紙帯を通過した微細パルプ繊維を使用する。
【００４０】
これら植物質の粉体１２、植物質の繊維１３、吸水性ポリマーの粉体１１とを、選択的に上記粉砕紙片４Ａ′又は粉砕フィルム片４Ｂ′と加水混練し、造粒機にかけ造粒した後、乾燥して吸水性粒状体１を形成する。
【００４１】
又は上記吸水性粒状体１中に吸水性ポリマーの粉体１１、植物質の粉体１２、植物質の繊維１３の一又は二以上を含有せしめると共に、炭酸カルシウムやタルク、ベントナイト、シリカゲル等の鉱物質の粉体１４を含有せしめ重量を付加する。
【００４２】
即ち上記植物質の粉体１２、植物質の繊維１３、吸水性ポリマーの粉体１１の一又は二以上と、上記鉱物質の粉体１４とを上記粉砕紙片４Ａ′又は粉砕フィルム片４Ｂ′に加水混合し、造粒機にかけ造粒した後、乾燥して吸水性粒状体１を形成する。
【００４３】
この鉱物質の粉体１４は粒状体１に重量を付加し、猫等の愛玩動物１０が粒状体１を飛散したり、粒状体１が体毛に付着するのを防止する。
【００４４】
好ましい例示として図６Ｂ，図８Ａ，図８Ｂに示すように、上記吸水性粒状体１の表面には吸水性を有し、且つ吸水すると粘着性を発揮する被覆層１５を設ける。
【００４５】
例えば、吸水すると粘着性を発揮する吸水性ポリマーの粉体１１、又は同様に吸水すると粘着性を発揮する植物質の粉体１２と、廃材たる古紙を粉砕機にかけ棉状に離解して得られたパルプ繊維１３′とを混合し、粒状体１の表面に水分を噴霧した後、該混合材を粒状体１の表面にまぶし付けし、上記被覆層１５を形成する。
【００４６】
この被覆層１５はパルプ繊維１３′により排尿７を急速に吸収して吸水性粒状体１中へ向け透水しつつ吸水性ポリマーの粉体１１又は植物質の粉体１２による粘着性を発揮し、この粘着性により隣接する粒状体１間を結合し塊状にし、この塊状物を廃棄して新たな粒状体１を補うことができる。
【００４７】
又は図６Ａに示すように、上記被覆層１５を形成しない吸水性粒状体１の表面に受尿する使用形態を妨げない。この場合においても吸水性ポリマーの粉体１１や植物質の粉体１２が吸水して粘着性を発揮し、隣接する粒状体１間を結合し塊状にすることができる。
【図面の簡単な説明】
【００４８】
【図１】動物用排泄物処理材の原料として用いる飲食物容器に代表される廃アルミラミネート紙材を部分的に拡大断面して示す側面図。
【図２】動物用排泄物処理材の原料として用いる飲食物容器に代表される廃アルミラミネート合成樹脂フィルム材を部分的に拡大断面して示す側面図。
【図３】上記廃アルミラミネート紙材又は廃アルミラミネート合成樹脂フィルム材を粉砕して得られた粉砕紙片又は粉砕フィルム片の拡大平面図。
【図４】Ａは上記粉砕紙片の拡大断面図、Ｂは上記粉砕フィルム片の拡大断面図。
【図５】上記粉砕紙片又は粉砕フィルム片の集合物を主材とする吸水性粒状体の斜視図。
【図６】Ａは上記吸水性粒状体の断面図、Ｂは被覆層を施して成る吸水性粒状体の断面図。
【図７】Ａは粉砕紙片を組成物とする吸水性粒状体の吸水構造を説明する拡大断面図、Ｂは粉砕フィルム片を組成物とする吸水性粒状体の吸水構造を説明する拡大断面図。
【図８】Ａは粉砕紙片を主材として造粒した、図６Ｂに示す被覆層を有する吸水性粒状体の拡大断面図、Ｂは粉砕フィルム片を配合して造粒した、図６Ｂに示す被覆層を有する吸水性粒状体の拡大断面図。
【図９】上記吸水性粒状体の使用状態を示す図。
【符号の説明】
【００４９】
１…吸水性粒状体、２…板紙又は薄紙、２′…紙層、３…アルミ箔、３′…アルミ層、４Ａ…廃アルミラミネート紙材、４Ｂ…廃アルミラミネート合成樹脂フィルム材、４Ａ′…粉砕紙片、４Ｂ′…粉砕フィルム片、５…合成樹脂フィルム、５′…フィルム層、６…連通空隙、７…排尿、８…剪断面、９…トレー、１０…愛玩動物、１１…吸水性ポリマーの粉体、１２…植物質の粉体、１３…植物質の繊維、１３′…パルプ繊維、１４…鉱物質の粉体、１５…被覆層
【図１】
2005176747.tif 000003
【図２】
2005176747.tif 000004
【図３】
2005176747.tif 000005
【図４】
2005176747.tif 000006
【図５】
2005176747.tif 000007
【図６】
2005176747.tif 000008
【図７】
2005176747.tif 000009
【図８】
2005176747.tif 000010
【図９】
2005176747.tif 000011